(57)【要約】  【課題】  電圧無印加時において液滴を確実に保持する。  【解決手段】  表示側となる上部層と、該上部層と表示用空間をあけて配置する下部層とを備え、前記表示用空間に着色した導電性の液滴と、該液滴と交じり合わないオイルあるいは空気が充填され、前記表示用空間の下面側の前記下部層の上面あるいは表示用空間の上面側の前記上部層の下面に面状電極が設けられる一方、前記表示用空間には、前記上部層あるいは下部層から針状電極が上下方向に突出され、前記面状電極は親油性とされる一方、前記針状電極は親水性とされ、前記面状電極と針状電極との回路が開かれて電圧無印加時には前記液滴が垂直方向の針状電極の周囲に球状に付着した状態で保持される一方、回路閉時の電圧印加時に前記液滴が上記面状電極を設けた表示用空間の下面側あるいは上面側で水平方向に広がった状態となって着色表示する構成としている。  【選択図】  図１
2006276801.tif 000002
【特許請求の範囲】
【請求項１】
表示側となる上部層と、該上部層と表示用空間をあけて配置する下部層とを備え、
前記表示用空間に着色した導電性の液滴と、該液滴と交じり合わないオイルあるいは空気が充填され、
前記表示用空間の下面側の前記下部層の上面あるいは表示用空間の上面側の前記上部層の下面に面状電極が設けられる一方、
前記表示用空間には、前記上部層あるいは下部層から針状電極が上下方向に突出され、
前記面状電極は親油性とされる一方、前記針状電極は親水性とされ、
前記面状電極と針状電極との回路が開かれて電圧無印加時には前記液滴が垂直方向の針状電極の周囲に球状に付着した状態で保持される一方、回路閉時の電圧印加時に前記液滴が上記面状電極を設けた表示用空間の下面側あるいは上面側で水平方向に広がった状態となって着色表示する構成としていることを特徴とする画像表示装置。
【請求項２】
前記表示用空間の上下垂直方向の寸法Ｌ１に対して、該表示用空間に垂直方向に突出する前記針状電極の突出寸法Ｌ３は、１／４以上としている請求項１に記載の画像表示装置。
【請求項３】
前記針状電極は、水平方向に延在する前記表示用空間の長さ方向の中央部に設けている請求項１または請求項２に記載の画像表示装置。
【請求項４】
前記表示用空間の長さ方向の中央部に連通する液溜め部を前記下部層に設け、該液溜め部の中心を貫通させて前記表示用空間に前記針状電極は突出している請求項１乃至請求項３のいずれか１項に記載の画像表示装置。
【請求項５】
前記上部層は前記表示用空間に広がった着色液体が透視できる略透明層すると共に、前記面状電極は透明電極とし、かつ、前記着色した液滴と交じり合わない前記オイルあるいは空気は無色透明とすると共に、前記下部層には光散乱層を設け、
前記表示用空間に液滴が水平方向に広がる電圧印加時は着色表示とする一方、前記針状電極に液滴が付着する電圧無印加時は光散乱層による光散乱で白色表示としている請求項１乃至請求項４のいずれか１項に記載の画像表示装置。
【請求項６】
前記上部層は前記表示用空間に広がった着色液体が透視できる略透明層すると共に、前記面状電極は透明電極とし、かつ、前記着色した液滴と交じり合わない前記オイルに光散乱材を配合しており、
前記表示用空間に液滴が水平方向に広がる電圧印加時は着色表示とする一方、前記針状電極に液滴が付着する電圧無印加時はオイル中の光散乱材による光散乱で白色表示としている請求項１乃至請求項４のいずれか１項に記載の画像表示装置。
【請求項７】
前記上部層および下部層は１０〜３００μｍのシート状とすると共に、前記表示用空間の垂直方向の寸法Ｌ１は１〜５００μｍとし、全体として薄いシート形状として請求項１乃至請求項６のいずれか１項に記載の画像表示装置。
【発明の詳細な説明】
【技術分野】
【０００１】
本発明は、画像表示装置に関し、特に、外部電場を利用して液体を移動させるエレクトロウェッティング現象を利用した電子ペーパーディスプレイ等に好適に用いられるものに関する。
【背景技術】
【０００２】
従来、透明もしくは着色の液体の移動現象を利用して表示を行う電子ディスプレイが提案されている。例えば、外部電場を利用して液体を移動させて表示する方式として、電気浸透方式とエレクトロウェッティング方式がある。
【０００３】
電気浸透方式は、多孔質体の表面の液体含浸率を制御して外光を散乱させ、外光に対する光反射率や光透過率を制御し、予め多孔質体と透明液体の屈折率を一致させておき、多孔質体の貫通孔内に液体が満たされると透明となり背景色が表示される一方、貫通孔から液体が流出すると光散乱が生じて白色表示される構成としている。
エレクトロウェッティング方式は、細孔内の液体に対する電界印加で液体の界面張力を変化させて貫通孔に沿って液体を移動させる一方、電界除去により細孔から液体を流出させる現象を利用している。詳しくは、細孔の内面に設けられる電極に電圧が印加されると、発生する電界により液体の細孔内面に対する濡れ性が変化して、液体の細孔内面に対する接触角が減少し、細孔内を液体が移動していく。一方、液体に対する電界が除去されると、細孔内面に対する液体の濡れ性が変化して接触角度は急激に増大し、細孔から液体が流出する。
【０００４】
従来、エレクトロウエッティングを利用した表示装置として、特開平１０−３９８００号公報（特許文献１）および特開平９−３１１６４３号公報（特許文献２）で、図９に示す装置が提供されている。該装置は、２枚の透明シート１、２の間の密閉空間３内に、複数の組の染色有極液からなる小滴４Ａ、４Ｂ、…を封入し、透明シート２に面状の第１電極５を設けると共に、該第１電極５に低表面エネルギー絶縁膜６を設け、その上面に第２の電極８となる小面積の面状の高表面エネルギープレートを配置し密閉空間３に露出させている。該表示装置では、第１電極５と第２電極８との間の回路が閉じられて電圧が印加され、液滴に電解を直接に付加して液滴を広げて、着色表示する構成とされている。
【０００５】
さらに、エレクトロウエッティングを利用した電子ディスプレイとして、特開２００４−２８７００８号公報（特許文献３）、特開２００４−２５２４４４号公報（特許文献４）で図１０に示す装置が提供されている。該装置は前記図９と同様に、シート１、２の間の形成した密閉空間３内に着色された小液滴４を封入し、シート１に第１電極５を設けると共に、該第一電極５上に絶縁膜６を介して第二電極８を設け、該第二電極８の周りに絶縁状態で第三電極９を設け、該第三電極９は着色液滴４の球状復帰を促進するものである。
【０００６】
【特許文献１】特開平１０−３９８００号公報
【特許文献２】特開平９−３１１６４３号公報
【特許文献３】特開２００４−２８７００８号公報
【特許文献４】特開２００４−２５２４４４号公報
【発明の開示】
【発明が解決しようとする課題】
【０００７】
特許文献１〜４の構成からなる表示装置においては、液滴が小球状を呈した状態で、液滴を電極と確実に接触した状態に保持することは必須である。しかしながら、特許文献１〜４のいずれの装置も、この液滴保持について十分な考慮がなされていない。
まず、特許文献３、４には、外部から機械的な衝撃が負荷された場合、液滴を小球状に保持する液滴保持機構についての記載はない。
特許文献１、２では、図９（Ｂ）に示すように、各小滴４毎にアクリル板等により空洞１０を設け、部分的にカプセル化することによって、機械的衝撃を免れることができると、記載されている。
しかしながら、液滴自体を有効な手段により固定していないと、機械的衝撃があった場合に液滴が電極から脱離してしまうため、液中の電界が乱れ、電気毛管現象が有効に作用しない画素が発生することとなる。その結果ディスプレイとしては致命的な色再現性が悪化することになる。
かつ、空洞１０は電圧印加時に液滴を拡大させる容積とされているため、衝撃を受けると、液滴は空洞１０内に拡大し、電圧が無印加時の小球状に保持することはできず、着色表示となる恐れがある。さらに、アクリル板により液滴を収容する空洞１０を設けると、光の透過率が下がり、コントラストが低下する問題もある。
【０００８】
本発明は、前記問題に鑑みてなされたもので、外部からの機械的衝撃が付加されても、液滴は電極から離脱せずに小球状を保持でき、かつ、コントラストを阻害しない、液滴保持機能を備えた画像表示装置を提供することを課題としている。
【課題を解決するための手段】
【０００９】
前記課題を解決するため、本発明は、表示側となる上部層と、該上部層と表示用空間をあけて配置する下部層とを備え、
前記表示用空間に着色した導電性の液滴と、該液滴と交じり合わないオイルあるいは空気が充填され、
前記表示用空間の下面側の前記下部層の上面あるいは表示用空間の上面側の前記上部層の下面に面状電極が設けられる一方、
前記表示用空間には、前記上部層あるいは下部層から針状電極が上下方向に突出され、
前記面状電極は親油性とされる一方、前記針状電極は親水性とされ、
前記面状電極と針状電極との回路が開かれて電圧無印加時には前記液滴が垂直方向の針状電極の周囲に球状に付着した状態で保持される一方、回路閉時の電圧印加時に前記液滴が上記面状電極を設けた表示用空間の下面側あるいは上面側で水平方向に広がった状態となって着色表示する構成としていることを特徴とする画像表示装置を提供している。
【００１０】
前記したように、本発明では、電圧の無印加時に、表示用空間に突出させた針状電極の周りに液滴が戻り、該液滴を針状電極に付着させて球状に保持する構成としているため、外部からの機械的衝撃が負荷されても、液滴が針状電極から離れることはなく、耐久性に優れたものとすることができる。
このように、液滴を広げて表面積を拡大する一方、球状に縮小して表面積を減少させて表示制御を行う一対の電極のうち、一方の電極を液滴保持にも利用しているため、液滴保持のために更なる手段を設ける必要もなく、液滴自体を電極に付着させて保持できる。よって、液滴が電極から脱離して、液中の電界が乱れを発生させることはなく、色再現性の悪化を確実に防止できる。さらに、特許文献３、４に記載されているような液滴を収容するためにアクリル板等で空洞を設ける必要もなく、コントラストを低下させない。
【００１１】
前記したように、面状電極は親油性とする一方、針状電極は親水性とし、具体的には白金、銅等からなる針状電極とし、導電性の液滴に導通させる必要があるため、絶縁被覆等は施さずに白金針、銅針を露出させた状態として用いている。なお、導通が取れる程度のＳｉＯ２の薄膜をスパッタで被覆してもよい。
該構成とすると、電極の無印加時に、導電性液体は親油性の面状電極に弾かれる状態となって、液滴を高速で親水性の針状電極へと吸引することができ、表示切り替えの高速化を図ることができる。
前記面状電極の表面には絶縁膜と撥水膜を順次積層している。絶縁膜は例えばパレリンあるいは酸化アルミナを含有させ、その膜厚を１〜０．１μｍ程度とすることが好ましい。撥水膜が電圧印加時は親水層となるフッ素系樹脂で構成とすることが好ましい。
【００１２】
前記表示用空間の上下垂直方向の寸法Ｌ１に対して、該表示用空間に垂直方向に突出する前記針状電極の突出寸法Ｌ３は、１／４以上としていることが好ましい。
針状電極の突出寸法は、液滴を針状電極の周囲に付着させて球状に保持するためには、１／４以上を突出させる必要がある一方、対向側に設けた面状電極との間には所要の絶縁空間を設けなければならない。上限は針状電極と面状電極の間隔が適度に近接すると放電が起こり、絶縁膜の破壊が生じるため、９／１０以下とすることが好ましい。
【００１３】
また、前記表示用空間の垂直方向の寸法（表示用空間の厚さ）Ｌ１と、直交する水平方向の寸法（表示用空間の幅）Ｌ２は、Ｌ１：Ｌ２が１：２００〜５：２に設定していることが好ましい。
【００１４】
また、前記針状電極は、水平方向に延在する前記表示用空間の長さ方向の中央部に設けていることが好ましい。
これは、表示用空間の中央部に針状電極を配置すると、該針状電極に付着して保持された液滴を、電圧印加時に両側方に迅速に拡大でき、高速で表示切り替えを行うことができる。
【００１５】
表示用空間に連通する液溜め部を前記下部層に設け、該液溜め部の中心を通して前記表示用空間に前記針状電極は突出する構成とすることが好ましい。該液溜め部は下部層の中央部に設けることが好ましいが、一側端側に設けてもよい。
液溜め部を有する構造とすると、液滴を液溜め部で保持することができ、電圧ＯＮ，ＯＦＦにかかわらず常に液滴の保持力が高まり、機械的衝撃に対してより耐久性のあるものとすることができる。さらに、液溜め部の中央に針状電極を貫通させて表示用空間に突出させていることで、針状電極に液滴を付着させた状態で液溜め部に液滴を確実に収容でき、電圧を印加しない状態での液滴径を液滴自体の径に依存させずに、液溜め径に対応させることができるため、画像表示時と白色表示時とのコントラストの信頼性を高めることができる。
【００１６】
さらに、液溜め部内で針状電極に付着していた液滴は、電圧印加時に針状電極上を移動して表示表空間へと拡散していき、液溜め部からの針状電極に沿った液滴の放出と、それに伴う液溜め部の内壁に沿った空気あるいはオイルの引き込みが発生することから、液滴と空気あるいは液滴とオイルのスムーズな循環が実現可能となる。その結果、液溜め部からの液滴の放出にかかる抵抗力が小さくなり、従来よりも低電圧駆動が可能となる。
【００１７】
本発明の画像表示装置においては、前記上部層は前記表示用空間に広がった着色液体が透視できる略透明層すると共に、前記面状電極は透明電極とし、かつ、前記着色した液滴と交じり合わない前記オイルあるいは空気は無色透明とすると共に、前記下部層には光散乱層を設け、
前記表示用空間に液滴が水平方向に広がる電圧印加時は着色表示とする一方、前記針状電極に液滴が付着する電圧無印加時は光散乱層による光散乱で白色表示としている。
あるいは、前記下部層に光散乱層を設ける代わりに、前記着色した液滴と交じり合わない前記オイルに光散乱材を配合しており、針状電極に液滴が付着する電圧無印加時はオイル中の光散乱材による光散乱で白色表示する構成としてもよい。
【００１８】
また、前記導電性の液滴としては、導電性を液体であれば良いが、熱的安定性を有する常温溶融塩で、水を含まないイオン性液体が好適に用いられる。
さらに、本発明の画像表示装置は、反射型、バックライトを設けた透過型、反射型と透過型とを併用した半透過型のいずれの構成としてもよい。
【００１９】
前記表示用空間は隣接する画素の表示用空間と隔壁で区切られている。
即ち、各画素の着色導電性液体はＲ，Ｇ，Ｂのいずれかの着色液体としておき、前記表示用空間に着色された着色導電性液体が導入されて広がることにより、フルカラーの画像表示をさせ、かつ、該導電性液体を高速移動させることで、フルカラーの動画表示を行う画像表示装置としている。
なお、Ｒ，Ｇ，Ｂにより１つの画素を構成すると見なす場合には、本発明の１つの着色液体を封入する画素は、１つの画素を構成する絵素となる。
【００２０】
本発明の画像表示装置では、前記上部層および下部層は厚さ１０〜３００μｍ程度のシート状とすると共に、前記表示用空間の垂直方向の寸法Ｌ１は１〜５００μｍ程度とし、全体として薄いシート形状とし、シート状の画像表示装置としている。
【発明の効果】
【００２１】
上述したように、本発明の画像表示装置では、電圧無印加時に液滴を針状電極に付着させて保持する構成としているため、振動や衝撃が負荷されても液滴が針状電極から離脱するのを抑制できる。よって、液滴が電極から脱離して、液中の電界が乱れを発生させることはなく、色再現性の悪化を確実に防止でき、耐久性に優れたものとすることができる。
かつ、電圧を印加する電極の一方を液滴保持にも利用しているため、液滴保持のために更なる別の手段を設ける必要がない。もなく、液滴自体を電極に付着させて保持できる。
【００２２】
また、表示用空間と連通する液溜め部を設け、該液溜め部を貫通させて表示用空間に針状電極を突出する構成とすると、液溜め部内の針状電極に付着させて液溜め部内に液滴を収容でき、電圧無印加時における液滴径を液滴自体に依存させず、液溜め部の径で規定することができる。
【発明を実施するための最良の形態】
【００２３】
以下、本発明の実施形態を図面を参照して説明する。
図１および図２は第１実施形態のシート状の画像表示装置１１を示し、  
表示側となる透明基板からなる上部層１２と、上部層１２と水平方向に延在する表示用空間１３をあけて下部層１４を積層している。下部層１４は基板１５と、その上面に光散乱体１６とを積層して一体化した構成としている。
前記表示用空間１３は隣接する画素と隔壁１９で仕切って密閉空間とし、その内部に着色した導電性の液滴Ｑと、液滴Ｑと交じり合わない透明なオイルＯを密封状態で充填している。
【００２４】
前記表示用空間１３の下面側にあたる光散乱体１６の上面全面に、ＩＴＯからなる薄膜透明な面状電極２０を設けている。該面状電極２０の上面全面に透明な絶縁膜２１、撥水膜２２を順次積層している。
前記絶縁膜２１はパリレンあるいは酸化アルミナを含有させ、その層厚を１〜０．１μｍ程度としている。
撥水膜２２は、電圧の印加時に親水層となるフッ素系樹脂等より形成している。動画表示を可能とするためには、液滴の移動速度の高速化する必要がある点から、表示用空間１３に露出させる最表面には、電圧印加時に親水性、電圧非印加時に疎水性となる撥水膜２２を形成することが有効である。
また、表示用空間１３の面状電極２０を配置する下面側を除く領域、即ち、上面側の上部層１２の下面、隔壁１９の空間側内面にも夫々撥水膜２９を設けている。
【００２５】
前記表示用空間１３の長さ方向の中心位置には上部層１２から針状電極２５を表示用空間１３に垂下させ、其の先端２５ａを表示用空間１３の下面側の撥水膜２２と空隙をあけて位置させている。即ち、水平方向に延在する表示用空間１３の中央部に、上下方向に横断するように親水性の針状電極２５を突出させている。
針状電極２５は直径１μｍ〜１０μｍ程度とした親水性を有する導線より形成し、本実施形態では白金を用いている。
表示用空間１３の上下垂直方向の寸法Ｌ１とすると、針状電極２５の突出寸法Ｌ３は、１／４以上とし、本実施形態では４／５程度としている。
【００２６】
前記上部層１２を形成する透明基板はガラス板あるいは絶縁樹脂シートから構成しているが、針状電極２５を設けたミクロ的な部位だけは、白色塗料を塗布しておいてもよい。また、針状電極２５と接続する微細線の透明回路２６を上部層１２内に設けている。
下部層１４の基板１５は上部層１２と同様な透明ガラスから形成しているが、透明でなくとも良い。該基板１５に積層する光散乱体１６は、表示用空間１３内に透明オイルＯが広がった時に、表面画面を紙のような白さとするため、透明の高分子樹脂シートの中に、屈折率の大きな酸化チタン、アルミナの微粒子や屈折率の小さい中空ポリマー微粒子を含有させて表示面側に乱反射を発生させ、紙のような白さを現出させている。
光散乱体１６のマトリクス樹脂としては熱可塑性樹脂、熱硬化性樹脂のいずれも用いることができ、エポキシ系樹脂、アクリル系樹脂、ポリイミド系樹脂、ポリアミド系樹脂、ポリカーボネート、テフロン（登録商標）等が用いられる。なお、樹脂に限らず、ガラス、セラミック等のいずれでも良い。
【００２７】
前記上部層１２および下部層１４は１０〜３００μｍのシート状とすると共に、表示用空間１３の垂直方向の寸法Ｌ１は１〜５００μｍとし、本実施形態では約１０μｍとし、表示装置全体を薄いシート状としている。
【００２８】
前記したように、表示用空間１３は隣接する画素の表示用空間と隔壁１９を仕切って密閉し、隣接する画素の液滴同士は異色としている。
導電性の着色した液滴Ｑは、蒸気圧がゼロであり、熱的安定性に優れ、かつ導電率も高いことからイオン性液体が好適に用いられるが、本実施形態では導電性水溶液を用いている。
該導電性液滴Ｑと交じり合わない無色透明なオイルＯは、絶縁オイルとし、側鎖高級アルコール、側鎖高級脂肪酸、アルカン炭化水素、シリコーンオイル、マッチングオイルから選択された１種または複数種からなる無極性のオイルを用いている。これらオイルのうちシリコーンオイルが好適に用いられる。
なお、オイルＯは透明とせずに、液滴Ｑと異なる色に着色されたものでもよい。また、オイルＯの代わりに空気等の気体を用いてもよい。
【００２９】
前記面状電極２０と針状電極２５とは、図示のように、開閉スイッチ２７を介して電源２８と接続し、開閉スイッチ２７のＯＮ時に電極２０、２５に電圧が印加されるようにしている。
【００３０】
次ぎに、前記画像表示装置の駆動について説明する。
初期状態が図１に示す白色状態であり、面状電極２０と針状電極２５との間のスイッチ２７がオフで、液滴Ｑが針状電極２５の周りにのみ付着して球状を呈し、表示用空間１３の下側の面状電極２０に沿って透明オイルＯが広がっている。この状態で、光散乱体１６からの乱反射により表示面は白色を呈する。
図２はスイッチ２７をオンとした状態で、針状電極２５の周りに保持されていた液滴Ｑが面状電極２０側に移動すると共に、面状電極２０に沿って表示用空間１３内に広がり、液滴Ｑに付された着色表示へと変化する。
図１に示す液滴Ｑの表示側に面する側の表面積に対して、図２に示す液滴Ｑの表面積は２０倍程度となる。
【００３１】
詳細には、スイッチ２７がオンされ、面状電極２０と針状電極２５に電圧が印加されると、表示用空間１３では、面状電極２０に対する液滴Ｑの濡れ性が変化する。即ち、電場により面状電極２０の表面近傍の電気二重層に存在する液滴Ｑのイオン(電荷)が面状電極２０の表面に引き寄せられる。密度が高くなったイオン(電荷)同士が反発し、その結果、液滴Ｑと面状電極２０の表面での界面張力を減少させ、液滴Ｑを相対的に大きくなった外部張力（固相と気相の間の張力）で引っ張り、表示用空間１３の長さ方向の両側端方向へと液滴Ｑを移動させ、液滴Ｑは表示用空間１３内に広がり、オイルＯを液滴Ｑの上層へと移動させる。
【００３２】
スイッチ２５がオフとなると、面状電極２０の電場を取り去られて、液滴Ｑの界面張力は、液滴Ｑ自身が有する固有の表面張力に戻され、表示用空間１３内の液滴Ｑは親水化を有する針状電極２５へと引き戻され、針状電極２５に周面に付着した球状となる。このように針状電極の周囲にのみ着色した液滴が位置するため、表示面側からは着色液体は視野に入らず、白色表示となる。
この白色表示時に、液滴自身が有する表面張力にのみによって球状を保持させているのではなく、針状電極２５に液滴Ｑを付着させて液滴を球状保持させているため、保持力を高めることができ、外部からの振動等が加えられても針状電極２５から離脱して、表示用空間１３内で広がることを抑制できる。
【００３３】
このようにスイッチ２７をオフ・オフすることで、着色した液滴Ｑを表示用空間１３内で広がらせて着色表示する一方、液滴Ｑを針状電極２５の周囲に付着させて小球状に保持することで白色表示とすることができる。
前記したように、表示用空間１３は隣接する表示用空間と隔壁１９で仕切り、表示用空間１３には特定色で着色された液滴Ｑを封入している。
隣接する表示用空間には、本実施形態では、Ｒ（赤色）液滴、Ｇ（緑色液体）液滴、Ｂ（青色）液滴を風封入して、ＲＧＢ表示でフルカラーの画像表示を行わせている。
【００３４】
「実施例１」
前記第１実施形態の画像表示装置を、以下の製造プロセスで作成した。
下部層１４の厚さ０．７ｍｍの無アルカリガラス基板１５（旭硝子製）の表面に、東レ株式会社製のＥ−６０（商品名）からなる光散乱体１６を積層固着した。該光散乱体１６は厚さ５０μｍで、ポリエステル樹脂中に空気層を含んだものとし、空気とポリエステル樹脂の屈折率差により白色を発現させている。
この光散乱体１６の表面に、膜厚１７０ｎｍで面状のＩＴＯ膜からなる面状電極２０をＵＶ硬化性接着剤で接着した。該ＩＴＯ膜からなる面状電極２０の表面に、厚さ１μｍのパリレン膜からなる絶縁膜２１を成膜した。ついで、該絶縁膜２１の表面にフロロテクノロジー製のＦＧ−５０１０で厚さ２０ｎｍの撥水膜２２を成膜した。
【００３５】
上記下部層１４の表面に、インクジェット法により、白色ＵＶ硬化樹脂を用いて高さ１０μｍの白色隔壁１９を形成し、表示用空間１３を形成した。
該表示用空間に透明なシリコーンオイルと、顔料を分散して着色した導電性水溶液からなるカラー液滴Ｑ（１ｍＭ／Ｌ＋マゼンダ３ｗｔ％）を滴下充填した。液滴径は２ｍｍとした。
【００３６】
上部層１２の透明ガラス基板は、厚さ０．７μｍの無アルカリガラス基板（旭硝子製）を用い、該基板の内部に透明な細線からなる電極回路を設け、該電極回路の先端と接続させて、直径５μｍの白金からなる針状電極２５の基部を基板内に埋設固定した。針状電極２５は基板１２からの突出寸法を２μｍとした。
この上部層１２の基板と、隔壁１９の上端と接着固定し、針状電極２５と面状電極２０とをスイッチ２７を介して電源２８と接続した。
【００３７】
前記電源２８から面状電極２０と針状電極２５に周波数１ＫＨｚで６０Ｖの交流電圧を印加して液滴を移動させた。
電圧無印加時における針状電極に液滴が保持されている状態と、電圧印加時に液滴が面状電極に沿って広がる状態とのコントラスト比を測定した。
該測定時に、可変周波数振動（１０〜５７Ｈｚ／０．０７５ｍｍ、５８〜５００Ｈｚ／１Ｇ掃引時間１１分、２ｈ／±（Ｘ，Ｙ，Ｚ））及び、衝撃（４９０ｍ／ｓ2 、１１ｍｓｅｃ、１回／±（Ｘ，Ｙ，Ｚ））を負荷して、振動有りの場合と、振動無しの場合で、コントラスト比を比較評価した。
前記コントラスト比とは「液滴が広がった状態の表示側面積／針状電極周りに付着した時の表示側面積」である。
【００３８】
その結果は、振動無しの場合の平均コントラスト比は２０であった。一方、振動有りの場合の平均コントラスト比は１９であった。
この測定結果より、外部からの振動や衝撃が負荷されても、電圧無印加時において、針状電極の周囲に液滴が確実に保持され、振動なしの場合と同等はコントラスト比が得られることが確認できた。
【００３９】
図２及び図３は第２実施形態を示し、第１実施形態との相違点は、針状電極２５を下部層１４側から上方へ突出して表示用空間１３内に突出させている点である。
該第２実施形態では、下部層１４の基板１５の表面にライン電極３０を設け、該ライン電極３０の中央位置に針状電極２５の下端を接続して、針状電極２５を上向きに突設している。基板１５の上面側には、第１実施形態と同様に光散乱体１６を積層し、該光散乱体１６に針状電極２５を貫通させている。該光散乱体１６の上面に面状電極２０を形成しているが、面状電極２０と針状電極２５との間に光散乱体１６を介在させて絶縁している。
面状電極２０の上面に第１実施形態と同様に絶縁膜２１、撥水膜２２を積層し、針状電極２５は撥水膜２２を貫通させて、表示用空間１３内に下方から上向きに突出させている。他の構成は第１実施形態と同様であるため、同一符号を付して説明を省略する。
【００４０】
第２実施形態における着色液滴Ｑの作動は第１実施形態と同様であり、図３はスイッチ２７がオフの電圧無印加時で、着色液滴Ｑは針状電極２５の周りに付着して小さい液滴の状態で保持される。
一方、図４に示すスイッチ２７のオン時には、液滴Ｑは表示用空間１３の下面側で面状電極２０に沿って広がり、着色表示となる。
【００４１】
「実施例２」
第２実施形態の構成の装置を、実施例１と同様に作成した。
また、使用材料も実験例１と同様にし、カラー液滴はＫＣＬ水溶液１ｍＭ／Ｌ＋マゼンダ３ｗｔ％を用い、オイルとしてシリコーンオイルを用いた。
評価テストも、電源２８から面状電極２０と針状電極２５に周波数１ＫＨｚで６０Ｖの交流電圧を印加して液滴を移動させ、電圧無印加時における針状電極に液滴が保持されている状態と、電圧印加時に液滴が面状電極に沿って広がる状態とのコントラスト比を測定した。測定時に、可変周波数振動（１０〜５７Ｈｚ／０．０７５ｍｍ、５８〜５００Ｈｚ／１Ｇ掃引時間１１分、２ｈ／±（Ｘ，Ｙ，Ｚ））及び、衝撃（４９０ｍ／ｓ2 、１１ｍｓｅｃ、１回／±（Ｘ，Ｙ，Ｚ））を負荷して、振動有りの場合と、振動無しの場合で、コントラスト比を比較評価した。
その結果は、実施例１と同様に、振動無しの場合の平均コントラスト比は２０であった。一方、振動有りの場合の平均コントラスト比は１９で、外部からの振動や衝撃が負荷されても、電圧無印加時において、針状電極の周囲に液滴が確実に保持され、振動なしの場合と同等はコントラスト比が得られることが確認できた。
【００４２】
図５および図６は第３実施形態を示す。
第３実施形態では、光散乱体１６および、その上面の面状電極２０、絶縁膜２１、撥水膜２２の中心の断面円形の液溜め部３５を設け、該液溜め部３５の中心に前記針状電極２５を挿通させて表示用空間１３内に突出させた。
第３実施形態では針状電極２５は銅線から形成した。
他の構成は第２実施形態と同様とし、同一部材は同一符号を付して説明を省略する。
【００４３】
表示作動は実施形態１、２と同様で、図５はスイッチ２７がオフで、電極２０と２５とには電圧が印加されない白色表示状態を示し、図６はスイッチ２７がオンで電極２０と２５とに電圧が印加され着色表示状態を示す。
【００４４】
液溜め部３５を有する構造とすると、導電性の着色した液滴Ｑを液溜め部３５内の針状電極２５の周りに付着させて保持することができ、電圧無印加時の液滴Ｑの保持力をより高めることができ、外部振動や衝撃に対する耐久性を高めることができる。
かつ、液溜め部３５内に液滴Ｑを確実に収容でき、電圧無印加状態での液滴径を液滴自体の径に依存させずに、液溜め径３５の径に対応させることができるため、画像表示時と白色表示時とのコントラストの信頼性を高めることができる。
さらに、液溜め部３５内で針状電極２５に付着していた液滴は、電圧印加時に針状電極２５上を移動して表示表空間１３へと流れていき、液溜め部３５からの針状電極２５に沿った液滴Ｑの放出と、それに伴う液溜め部３５の内壁に沿ったオイルＱの引き込みを迅速に生じさせ、液滴ＱとオイルＯのスムーズな循環を実現できる。その結果、液溜め部３５からの液滴Ｑの放出にかかる抵抗力が小さくなり、低電圧駆動が可能となる。  
【００４５】
「実施例３」
第３実施形態の構成の装置を、実施例１と略同様に作成した。なお、針状電極は導電から形成した。
また、使用材料も実験例１と同様にし、カラー液滴はＫＣＬ水溶液１ｍＭ／Ｌ＋マゼンダ３ｗｔ％を用い、オイルトしてシリコーンオイルを用いた。
評価テストも、電源２８から面状電極２０と針状電極２５に周波数１ＫＨｚで６０Ｖの交流電圧を印加して液滴を移動させ、電圧無印加時における針状電極に液滴が保持されている状態と、電圧印加時に液滴が面状電極に沿って広がる状態とのコントラスト比を測定した。測定時に、可変周波数振動（１０〜５７Ｈｚ／０．０７５ｍｍ、５８〜５００Ｈｚ／１Ｇ掃引時間１１分、２ｈ／±（Ｘ，Ｙ，Ｚ））及び、衝撃（４９０ｍ／ｓ2 、１１ｍｓｅｃ、１回／±（Ｘ，Ｙ，Ｚ））を負荷して、振動有りの場合と、振動無しの場合で、コントラスト比を比較評価した。
その結果は、実施例１、２よりも振動の有無によるコントラスト比の変化はなく、振動無しの場合の平均コントラスト比および振動有りの場合の平均コントラスト比はいずれも２０であった。
【００４６】
図７および図８は第４実施形態を示す。
第４実施形態では、面状電極２０を上部層１２の透明ガラス基板の下面に形成し、該面状電極２０の表面（下面）に絶縁膜２１、撥水膜２２を形成している。
上部層１２と表示用空間１３を挟んで配置する下部層１４は光散乱体１６と基板１５とから構成し、光散乱体１６の中央に液溜め部３５を設けている。
前記第３実施形態と同様に、基板１５の上面にライン電極３０を形成し、該ライン電極３０に下端を接続した針状電極２５を液溜め部３５の中央を貫通させて表示用空間１３内に突出させている。
他の部材は前記実施形態と同様であるため同一符号を付して説明を省略する。
【００４７】
第４実施形態では、面状電極２０を上部層１２の基板の下面に設けているため、電圧印加時には、着色した液滴Ｑが透明は上部層１２の基板に沿って広がり、より鮮明な着色表示することができる。
即ち、実施形態１〜３では着色表示時に液滴が下部層１４の上面に沿って広がり、着色液滴Ｑの表示側には透明オイルＯが存在し、オイルＯを通して着色表示されることとなるが、第４実施形態では、オイルＯを通さずに着色液滴Ｑを直接視認することができる。
【００４８】
「実施例４」
第４実施形態の構成の装置を実施例１と略同様に作成した。なお、針状電極は導電から形成した。
また、使用材料も実験例１と同様にし、カラー液滴はＫＣＬ水溶液１ｍＭ／Ｌ＋マゼンダ３ｗｔ％を用い、オイルトしてシリコーンオイルを用いた。
評価テストも、電源２８から面状電極２０と針状電極２５に周波数１ＫＨｚで６０Ｖの交流電圧を印加して液滴を移動させ、電圧無印加時における針状電極に液滴が保持されている状態と、電圧印加時に液滴が面状電極に沿って広がる状態とのコントラスト比を測定した。測定時に、可変周波数振動（１０〜５７Ｈｚ／０．０７５ｍｍ、５８〜５００Ｈｚ／１Ｇ掃引時間１１分、２ｈ／±（Ｘ，Ｙ，Ｚ））及び、衝撃（４９０ｍ／ｓ2 、１１ｍｓｅｃ、１回／±（Ｘ，Ｙ，Ｚ））を負荷して、振動有りの場合と、振動無しの場合で、コントラスト比を比較評価した。
その結果は、実施例３と同様に、振動の有無によるコントラスト比の変化はなく、振動無しの場合の平均コントラスト比および振動有りの場合の平均コントラスト比はいずれも２０であった。
【００４９】
前記実施形態１〜４はいずれも導電性の液滴Ｑとして、着色した電解水溶液を用いているが、該電解水溶液に変えて、水を含まないイオン性液体を用い、平均粒子径を５μｍ以下とした顔料を分散させたイオン性着色液滴を用いてもよい。
具体的には、液滴Ｑは、電荷が１価のカチオンとアニオンとを１種類ずつ組み合わせている１−１塩からなる常温溶融塩で、かつ、水を殆ど含まないイオン性液体としている。
前記カチオンとアニオンとは、液滴Ｑが下記の融点、粘度、イオン伝導度を備える組み合わせとなるように選択している。
融点が−４〜−９０℃の常温で液体であり、不揮発性であるため蒸気圧がゼロで、広い液体温度領域を備えて優れた熱安定性を有するものであること。
常温（２５℃）におけるイオン伝導度（ｓ／ｃｍ）が０．１×１０−３以上であること。
常温（２５℃）における粘度が３００ｃｐ以下であること。
前記した物性を有する導電性液体としては、前記した１−エチル−３−メチルイミダゾリウム、１−ブチル−３−メチルイミダゾリウム、あるいはジメチル−３−プロピルイミダゾリウムからなる化学種を含むものが用いられる。
なお、液滴Ｑとしては前記イオン性液滴が好ましいが、他の液滴を用いても良く、限定されない。
さらに、無色透明はオイルに変えて、空気を用いてもよい。
また、前記常温溶融塩に配合する着色材料は、体積平均粒子径を５μｍ以下としていることが好ましい。
【００５０】
さらに、下部層の基板の、さらに下方にバックライトを配置して、透過型の表示装置としてもよい。其の際、光散乱体層を無くしてもよい。また、部分的に光散乱体層を配置すると共にバックライトも部分的に配置し、反射型と透過型とを併用した半透過型としてもよい。
【産業上の利用可能性】
【００５１】
本発明は、液体への電圧の印加の有無に応じて、液体の表面エネルギーを変化させ、該液体の移動あるいは液体の表面側の表面積を増減して画像表示を行う、電気泳動方式を含む電界誘導型のシート状の画像表示装置のいずれにも用いることができる。
【図面の簡単な説明】
【００５２】
【図１】第１実施形態の画像表示装置を示し、スイッチオフで電圧無印加時の白色表示時の断面図である。
【図２】第１実施形態のスイッチオンで電圧印加時の着色表示時の断面図である。
【図３】第２実施形態の画像表示装置を示し、スイッチオフで電圧無印加時の白色表示時の断面図である。
【図４】第２実施形態のスイッチオンで電圧印加時の着色表示時の断面図である。
【図５】第３実施形態の画像表示装置を示し、スイッチオフで電圧無印加時の白色表示時の断面図である。
【図６】第３実施形態のスイッチオンで電圧印加時の着色表示時の断面図である。
【図７】第４実施形態の画像表示装置を示し、スイッチオフで電圧無印加時の白色表示時の断面図である。
【図８】第４実施形態のスイッチオンで電圧印加時の着色表示時の断面図である。
【図９】（Ａ）（Ｂ）は従来例を示す図面である。
【図１０】他の従来例を示す図面である。
【符号の説明】
【００５３】
１１  画像表示装置
１２  上部層
１３  表示用空間
１４  下部層
１５  基板
１６  光散乱体
１９  隔壁
２０  面状電極
２１  絶縁膜
２２、２６  撥水膜
２５  針状電極
２７  スイッチ
２８  電源
３５  液溜め部
Ｑ  着色液滴
Ｏ  オイル
【図１】
2006276801.tif 000003
【図２】
2006276801.tif 000004
【図３】
2006276801.tif 000005
【図４】
2006276801.tif 000006
【図５】
2006276801.tif 000007
【図６】
2006276801.tif 000008
【図７】
2006276801.tif 000009
【図８】
2006276801.tif 000010
【図９】
2006276801.tif 000011
【図１０】
2006276801.tif 000012